(57)【要約】【課題】操作装置により無線で確実に操作できる電子機器を提供すること。【解決手段】本発明の電子機器は、機器本体２と、固有の識別情報を含む操作信号を送信して、機器本体２を無線で操作する操作装置３とを備え、機器本体２は、入力操作を受け付ける入力部２４と、操作信号を受信する受信部２３と、入力部２４に対する所定の入力操作とともに、受信部２３により操作信号が受信されると、操作信号に含まれる識別情報を登録する識別情報登録部と、識別情報登録部による識別情報の登録後に、登録された識別情報を含む操作信号が受信されると、操作信号に応じた処理を実行する処理実行部と、を有する。【選択図】図１
2012129682.tif 000002
【特許請求の範囲】
【請求項１】
機器本体と、
固有の識別情報を含む操作信号を送信して、前記機器本体を無線で操作する操作装置とを備え、
前記機器本体は、
入力操作を受け付ける入力部と、
前記操作信号を受信する受信部と、
前記入力部に対する所定の入力操作とともに、前記受信部により前記操作信号が受信されると、当該操作信号に含まれる前記識別情報を登録する識別情報登録部と、
前記識別情報登録部による前記識別情報の登録後に、登録された識別情報を含む前記操作信号が受信されると、当該操作信号に応じた処理を実行する処理実行部と、を有する
ことを特徴とする電子機器。
【請求項２】
請求項１に記載の電子機器において、
前記機器本体は、電源オフ時に、登録した前記識別情報を消去する識別情報消去部を有する
ことを特徴とする電子機器。
【請求項３】
請求項１又は請求項２に記載の電子機器において、
前記入力部は、電源をオンする電源キーを有し、
前記処理実行部は、前記電源キーにより前記機器本体の電源がオンされた場合には、前記操作装置から受信された前記操作信号に応じた処理を無効にするとともに、前記入力部に対する入力操作に応じた処理を実行する
ことを特徴とする電子機器。
【請求項４】
請求項１から請求項３のいずれかに記載の電子機器において、
前記所定の入力操作は、前記入力部が有するいずれかのキーを入力する操作である
ことを特徴とする電子機器。
【請求項５】
請求項１から請求項４のいずれかに記載の電子機器において、
前記識別情報登録部は、前記操作装置からの操作信号が前記機器本体の電源をオンする処理に対応するものであるときに、当該操作信号に含まれる前記識別情報を登録する
ことを特徴とする電子機器。
【発明の詳細な説明】
【技術分野】
【０００１】
本発明は、電子機器に関する。
【背景技術】
【０００２】
従来、操作装置（リモコン）と、当該操作装置により送信された赤外線信号等の操作信号により操作される機器本体とを有する電子機器が知られており、このような電子機器として、テレビ受像機や、プロジェクター等を例示できる。このような電子機器を複数並べて使用する場合、あるリモコンの使用により、操作を希望する機器本体以外の機器本体が操作されてしまう可能性がある。これに対し、機器本体がリモコンにより操作可能であるか否かを使用者に報知する電子機器が知られている（例えば、特許文献１参照）。
【０００３】
特許文献１に記載の電子機器は、それぞれＳＷ番号が設定されたリモコン及び機器本体を備えており、機器本体は、リモコンから受信されたリモコンコードにより示されるＳＷ番号と機器本体のＳＷ番号とが一致するか否かを判定し、一致しない場合には、使用者に対して通知を行う。
【先行技術文献】
【特許文献】
【０００４】
【特許文献１】特開２００９−２３９７２０号公報
【発明の概要】
【発明が解決しようとする課題】
【０００５】
しかしながら、特許文献１に記載の電子機器では、当該電子機器が複数台設置された場合には、リモコンと操作対象以外の機器本体とでＳＷ番号が一致してしまう場合がある。また、リモコンのＳＷ番号を切り替えて他の機器本体を操作する場合に、当該リモコンと操作対象以外の機器本体とでＳＷ番号が一致してしまう場合がある。このような場合には、リモコンにより操作対象以外の機器本体が動作してしまう可能性があり、当該操作対象以外の機器本体の動作を制限できないという問題がある。
このため、リモコンにより特定の電子機器を確実に操作できる構成が望まれてきた。
【０００６】
本発明の目的は、操作装置により無線で確実に操作できる電子機器を提供することである。
【課題を解決するための手段】
【０００７】
前記した目的を達成するために、本発明の電子機器は、機器本体と、固有の識別情報及び操作コードを含む操作信号を送信して、前記機器本体を無線で操作する操作装置とを備え、前記機器本体は、入力操作を受け付ける入力部と、前記操作信号を受信する受信部と、前記入力部に対する所定の入力操作とともに、前記受信部により前記操作信号が受信されると、当該操作信号に含まれる前記識別情報を登録する識別情報登録部と、前記識別情報登録部による前記識別情報の登録後に、登録された識別情報を含む前記操作信号が受信されると、当該操作信号に応じた処理を実行する処理実行部と、を有することを特徴とする。
【０００８】
なお、入力手段は、電源キーやメニューキー等が配設された操作パネルを例示できる。
本発明によれば、識別情報登録部が、操作装置から受信される操作信号に含まれる識別情報を登録することで、機器本体と、当該機器本体を操作する操作装置との関連付けを行うことができる。そして、このような関連付けがされた後では、機器本体に受信された操作信号に含まれる識別情報が、当該機器本体に関連付けがされた操作装置の識別情報である場合には、当該操作信号に含まれる操作コードに応じた処理が、処理実行部により実行される。このため、操作装置による機器本体の操作が可能となる。
【０００９】
一方で、機器本体に受信された操作信号に含まれる識別情報が、当該機器本体に関連付けがされた操作装置の識別情報でない場合には、当該操作信号に含まれる操作コードに応じた処理が実行されることはない。このため、当該操作装置により操作対象以外の電子機器が動作してしまうことを防止できる。
従って、操作装置と、当該操作装置により操作される機器本体との関連付けを確実に行うことができ、当該操作装置により確実に機器本体を操作できる。
【００１０】
本発明では、前記機器本体は、電源オフ時に、登録した前記識別情報を消去する識別情報消去部を有することが好ましい。
ここで、機器本体の電源オフ時に、登録された識別情報が消去されない場合には、当該登録された識別情報を有する操作装置が、その後に他の機器本体と関連付けられた場合でも、当該操作装置により、最初に関連付けがされた機器本体が操作されてしまう可能性がある。
【００１１】
これに対し、本発明によれば、識別情報消去部が、登録した識別情報を電源オフ時に消去するので、機器本体と操作装置との関連付けを初期化できる。従って、他の機器本体との関連付けがされた操作装置により、機器本体が操作されてしまうことを防止できる。
また、操作装置により機器本体を操作する場合には、再度、前述の所定の入力操作を行う必要が生じるので、当該機器本体を操作可能な操作装置を使用者に把握させることができる。
【００１２】
本発明では、前記入力部は、電源をオンする電源キーを有し、前記処理実行部は、前記電源キーにより前記機器本体の電源がオンされた場合には、前記操作装置から受信された前記操作信号に応じた処理を無効にするとともに、前記入力部に対する入力操作に応じた処理を実行することが好ましい。
本発明によれば、電子機器の使用者ではない第三者が、登録されていない操作装置を用いて、機器本体が遠隔操作されることを防止できる他、識別情報が予期せず登録されてしまうことを防止できる。
【００１３】
本発明では、前記所定の入力操作は、前記入力部が有するいずれかのキーを入力する操作であることが好ましい。
本発明によれば、入力部のキー入力に応じて、機器本体を操作可能な操作装置を登録することができるので、当該登録に関する処理を簡易に行うことができる。
【００１４】
本発明では、前記識別情報登録部は、前記操作装置からの操作信号が前記機器本体の電源をオンする処理に対応するものであるときに、当該操作信号に含まれる前記識別情報を登録することが好ましい。
本発明によれば、操作装置と機器本体との関連付けを行う際の操作装置での操作が電源キーの入力等であるため、識別情報が予期せず登録されてしまうことを防止できる。
【図面の簡単な説明】
【００１５】
【図１】本発明の一実施形態に係るプロジェクターの構成を示すブロック図。
【図２】前記実施形態における制御部の構成を示すブロック図。
【図３】前記実施形態における電源投入時処理を示すフローチャート。
【図４】前記実施形態における実行処理を示すフローチャート。
【図５】前記実施形態における電源オフ時処理を示すフローチャート。
【発明を実施するための形態】
【００１６】
以下、本発明の一実施形態を図面に基づいて説明する。
〔プロジェクターの構成〕
図１は、本実施形態におけるプロジェクターの構成を示すブロック図である。
本実施形態のプロジェクター１は、光源から出射された光束を変調して、ＰＣ（Personal Computer）等の外部機器４から受信される画像情報に応じた画像を形成し、当該画像をスクリーン等の被投射面上に拡大投射する電子機器である。このプロジェクター１は、図１に示すように、機器本体としてのプロジェクター本体２と、当該プロジェクター本体２を無線で操作する操作装置としてのリモートコントローラー（以下、「リモコン」とも称する）３とを備える。
【００１７】
〔リモコンの構成〕
リモコン３は、本発明の操作装置に相当する。このリモコン３は、複数の機能キーを有し、当該キーの入力操作に応じた操作コードと固有の識別情報とを含む操作信号を、赤外線で送信する。このような機能キーとして、リモコン３は、プロジェクター本体２の電源をオン／オフさせる電源キー３１を有するほか、図示を省略するが、設定画面を表示させるメニューキー、当該設定画面にて設定操作を行う十字キー、決定キー及びキャンセルキー等を有する。
【００１８】
〔プロジェクター本体の構成〕
プロジェクター本体２は、前述の外部機器４から受信される画像情報に応じた画像を形成及び投射する。また、プロジェクター本体２は、リモコン３からの操作信号に含まれる識別情報を登録することで、当該リモコン３による操作を許容する。
このようなプロジェクター本体２は、画像処理部２１、表示部２２、受信部２３、入力部２４、入力処理部２５、記憶部２６及び制御部２７を備えている。
【００１９】
画像処理部２１は、外部機器４（例えば、画像供給装置としてのＰＣ）から受信された画像情報（画像データ及び画像信号を含む）に応じた画像を生成する。具体的に、画像処理部２１は、図示しないビデオメモリーに当該画像を展開し、当該画像に所定の補正処理等を行う。そして、画像処理部２１は、当該画像に応じた駆動信号を表示部２２に出力する。
【００２０】
表示部２２は、画像処理部２１から入力される駆動信号に応じた画像を形成し、当該画像を前述の被投射面上に拡大投射する。この表示部２２は、図示を省略するが、光源装置、光変調装置及び投射光学装置を備える。
光源装置は、高圧水銀ランプ等の光源ランプ及び反射鏡であるリフレクター、或いはＬＥＤ（Light Emitting Diode）等の固体光源を備え、光変調装置に光束を照射する。
【００２１】
光変調装置は、光源装置から出射された光束を変調して、前述の画像信号に応じた画像を形成する。この光変調装置として、液晶パネルを採用できる他、マイクロミラーを用いたデバイス等を採用できる。また、液晶パネルを採用する場合、透過型及び反射型のいずれの液晶パネルでも採用できる。
投射光学装置は、光変調装置により形成された画像を拡大投射するものであり、鏡筒と、当該鏡筒内に収納される複数のレンズとを備えた組レンズとして構成されている。
【００２２】
受信部２３は、リモコン３から送信された赤外線信号である操作信号を受信し、当該赤外線信号に応じたアナログ信号を入力処理部２５に出力する。
入力部２４は、リモコン３に配設された機能キーと同様の機能キーを有する。具体的に、入力部２４は、電源キー２４１及びメニューキー２４２等を有する。そして、入力部２４は、各機能キーの入力操作に応じた操作コードを含む操作信号を、入力処理部２５に出力する。この入力部２４は、プロジェクター本体２の外面に露出するように設けられている。
なお、本実施形態では、入力部２４は、機能キーの入力操作に応じた操作コードと、プロジェクター本体２に固有の識別情報とを含めた操作信号を出力するが、当該操作コードのみを含む操作信号を出力するように構成してもよい。なお、操作コードとは、後述する処理実行部２７５に操作信号に応じた処理を実行させるためのコード情報のことをいう。
【００２３】
入力処理部２５は、受信部２３及び入力部２４から入力されたアナログ信号をデジタル信号に変換して、当該デジタル信号を制御部２７に出力する。
【００２４】
記憶部２６は、プロジェクター本体２全体の動作に必要な各種プログラム及びデータを記憶する。このようなプログラムとして、例えば、制御部２７にて実行されるプログラム等が挙げられる。また、記憶部２６に記憶されるデータとして、リモコン３の識別情報等が挙げられる。このような記憶部２６は、制御部２７を構成する回路基板上に実装されるＲＯＭ（Read Only Memory）等の半導体メモリーや、当該回路基板に接続されるＨＤＤ（Hard Disk Drive）等により構成できる。
【００２５】
図２は、制御部２７の構成を示す機能ブロック図である。
制御部２７は、回路基板上に実装されたＣＰＵ（Central Processing Unit）等により構成される。この制御部２７は、記憶部２６に記憶されたプログラム及びデータに沿って、リモコン３や入力部２４に対する入力操作に応じて、或いは、自律的に、プロジェクター本体２全体を制御する。このような制御部２７は、当該プログラムを処理することにより、図２に示すように、入力判定部２７１、識別情報取得部２７２、識別情報登録部２７３、識別情報判定部２７４、処理実行部２７５及び識別情報消去部２７６を機能的に有する。
【００２６】
入力判定部２７１は、リモコン３又は入力部２４からの操作信号が、入力処理部２５を介して入力された際に、当該操作信号に基づいて、どのキーが入力されたかを判定する。例えば、入力判定部２７１は、電源キー２４１が入力されたか否か、メニューキー２４２が入力されたか否か、及び、リモコン３の電源キー３１が入力されたか否かを判定する。この際、入力判定部２７１は、リモコン３のキーの入力に応じた操作信号であるか、又は入力部２４のキーの入力に応じた操作信号であるかを、当該操作信号に含まれる識別情報に基づいて判定する。すなわち、当該識別情報が、プロジェクター本体２に固有の識別情報であれば、入力部２４のキーの入力に応じた操作信号であると判定し、また、他の識別情報である場合には、リモコン３のキーの入力に応じた操作信号であると判定する。
【００２７】
識別情報取得部２７２は、入力処理部２５から入力される操作信号に含まれる識別情報を取得する。
識別情報登録部２７３は、メニューキー２４２が入力されている（メニューキー２４２が押されている）状態で、リモコン３の電源キー３１の入力操作に応じた操作信号が入力された場合に、識別情報取得部２７２により取得された識別情報を記憶部２６に記憶させて、当該識別情報を登録する。
識別情報判定部２７４は、入力された操作信号に含まれる識別情報が、識別情報登録部２７３により登録された識別情報、又は、プロジェクター本体２に固有の識別情報であるか否かを判定する。
【００２８】
処理実行部２７５は、プロジェクター本体２全体を制御する。例えば、処理実行部２７５は、入力部２４又はリモコン３から入力処理部２５を介して入力される操作信号に含まれる操作コードに応じた処理を実行する。このような処理として、処理実行部２７５は、例えば、プロジェクター本体２に設定された設定内容（例えば、輝度値等）を変更する処理や、当該設定内容に基づいて、プロジェクター本体２を駆動させる処理を実行する。また、識別情報が登録されたリモコン３からの操作信号が入力された場合には、処理実行部２７５は、識別情報判定部２７４の判定結果に基づいて、当該操作信号に応じた処理を実行する。
識別情報消去部２７６は、電源をオフする操作信号が入力された場合に、記憶部２６に登録されたリモコン３の識別情報を消去する。
【００２９】
〔電源投入時処理〕
図３は、電源投入時処理を示すフローチャートである。
制御部２７は、プロジェクター本体２に駆動電力は供給されているものの、電源がオンされていないスタンバイ状態で、リモコン３又は入力部２４から操作信号が入力されると、記憶部２６に記憶されたプログラムを処理することで、以下に示す電源投入時処理を実行する。
この電源投入時処理では、図３に示すように、まず、入力判定部２７１が、電源キー２４１が入力されている（電源キー２４１が押されている）か否かを判定する（ステップＳＡ１）。
【００３０】
このステップＳＡ１の判定処理で、電源キー２４１が入力されていないと判定された場合には、入力判定部２７１は、更に、メニューキー２４２が入力されている（メニューキー２４２が押されている）か否かを判定する（ステップＳＡ２）。
ここで、メニューキー２４２が入力されていない場合には、制御部２７は、入力部２４から入力される操作信号に応じた処理を無効にして、電源投入時処理を終了する。
【００３１】
一方、ステップＳＡ２の判定処理にて、メニューキー２４２が入力されていると判定された場合には、入力判定部２７１は、当該メニューキー２４２の入力中に、リモコン３から電源キー３１の入力に応じた操作信号が入力されたか否かを判定する（ステップＳＡ３）。
このステップＳＡ３の判定処理にて、メニューキー２４２の入力中に当該操作信号が入力されていないと判定された場合においては、当該操作信号に応じた処理を無効にして、電源投入時処理を終了する。
【００３２】
一方、ステップＳＡ３の判定処理にて、メニューキー２４２の入力中にリモコン３から電源キー３１の入力に応じた操作信号が入力されたと判定された場合においては、識別情報登録部２７３が、識別情報取得部２７２により取得された識別情報を登録する（ステップＳＡ４）。
【００３３】
その後、処理実行部２７５が、プロジェクター本体２の電源をオンする（ステップＳＡ５）。これにより、画像処理部２１による画像生成、表示部２２の光源装置の点灯、光変調装置の駆動等が開始され、当該画像が表示される。
この後、電源投入時処理は終了される。
【００３４】
一方、ステップＳＡ１の判定処理にて、電源キー２４１が入力されたと判定された場合には、処理実行部２７５は、前述のステップＳＡ５を実行し、プロジェクター本体２の電源をオンする。この状態では、ステップＳＡ４を経ていないので、リモコン３の識別情報は登録されない。この後、制御部２７は、電源投入時処理を終了する。
【００３５】
〔実行処理〕
図４は、実行処理を示すフローチャートである。
プロジェクター本体２の電源がオンされている状態で、リモコン３又は入力部２４から入力処理部２５を介して操作信号が入力されると、制御部２７は、以下に示す実行処理を実行する。この実行処理は、記憶部２６に記憶されたプログラム及びデータに沿って行われる。
【００３６】
この実行処理では、図４に示すように、まず、識別情報取得部２７２が、入力された操作信号に含まれる識別情報を取得する（ステップＳＢ１）。
次に、識別情報判定部２７４が、取得された識別情報が、登録された識別情報、及び、プロジェクター本体２に固有の識別情報のいずれかと一致するか否かを判定する（ステップＳＢ２）。
【００３７】
ここで、取得された識別情報が、登録された識別情報、及び、プロジェクター本体２に固有の識別情報のいずれかと一致すると判定されると、処理実行部２７５が、入力された操作信号に含まれる操作コードに応じた処理を実行する（ステップＳＢ３）。そして、制御部２７は、実行処理を終了する。
【００３８】
一方、取得された識別情報が、登録された識別情報、及び、プロジェクター本体２に固有の識別情報のいずれかとも一致しないと判定された場合には、入力された操作信号に含まれる操作コードに応じた処理を実行せずに、制御部２７は実行処理を終了する。
【００３９】
このため、メニューキー２４２が入力された状態で、リモコン３から電源をオンする旨の操作信号が入力された場合には、当該リモコン３及び入力部２４から入力される操作信号に応じた処理が、処理実行部２７５により実行される。
一方、電源キー２４１の入力操作に応じて、プロジェクター本体２の電源がオンされた場合には、処理実行部２７５は、再度電源キー２４１が入力されてプロジェクター本体の電源がオフされるまでの間、リモコンから送信された操作信号に基づく処理を行わない（無効にする）。これにより、プロジェクター本体２は、登録されていないリモコンからの操作を許容しないので、当該プロジェクター本体が不意に遠隔操作されることを防止できる。
【００４０】
〔電源オフ時処理〕
図５は、電源オフ時処理を示すフローチャートである。
プロジェクター本体２の電源がオンされている状態で、リモコン３又は入力部２４から電源キーの入力に応じた操作信号（電源をオフする旨の操作信号）が入力されると、制御部２７は、当該プロジェクター本体２の電源をオフする電源オフ時処理を実行する。この電源オフ時処理も、記憶部２６に記憶されたプログラム及びデータに沿って行われる。
この電源オフ時処理では、図５に示すように、まず、識別情報消去部２７６が、記憶部２６に登録されている識別情報を消去する（ステップＳＣ１）。これにより、再度プロジェクター本体２の電源がオンされた際に、当該プロジェクター本体２が、他のプロジェクター本体２との関連付けがされたリモコン３により操作されてしまうことを防止できる。
【００４１】
その後、処理実行部２７５は、表示部２２の光源装置の消灯等や、必要なデータの記憶部２６への保存等の電源オフ処理を実行して、プロジェクター本体２をスタンバイ状態に移行させる（ステップＳＣ２）。この後、制御部２７は、電源オフ時処理を終了する。
なお、前述のように、電源オフ時処理は、識別情報が登録されていないリモコン３から電源をオフする旨の操作信号が入力された場合には実行されない。
【００４２】
以上説明した本実施形態に係るプロジェクター１によれば、以下の効果がある。
識別情報登録部２７３が、リモコン３から受信される操作信号に含まれる識別情報を登録することで、プロジェクター本体２と、当該プロジェクター本体２を操作するリモコン３との関連付けを行うことができる。そして、このような関連付けがされた後では、プロジェクター本体２に受信された操作信号に含まれる識別情報が、当該プロジェクター本体２に関連付けがされたリモコン３の識別情報である場合には、当該操作信号に含まれる操作コードに応じた処理が、処理実行部２７５により実行される。このため、リモコン３によるプロジェクター本体２の操作が可能となる。
【００４３】
一方で、プロジェクター本体２に受信された操作信号に含まれる識別情報が、当該プロジェクター本体２に関連付けがされたリモコン３の識別情報でない場合には、当該操作信号に含まれる操作コードに応じた処理が実行されることはない。このため、当該リモコン３により操作対象以外のプロジェクター１が動作してしまうことを防止できる。
従って、リモコン３と、当該リモコン３により操作されるプロジェクター本体２との関連付けを確実に行うことができ、当該リモコン３により確実にプロジェクター本体２を操作できる。
【００４４】
識別情報消去部２７６が、登録した識別情報を電源オフ時に消去するので、プロジェクター本体２とリモコン３との関連付けを初期化できる。従って、他のプロジェクター本体２との関連付けがされたリモコン３により、プロジェクター本体２が操作されてしまうことを防止できる。
また、リモコン３によりプロジェクター本体２を操作する場合には、再度、前述の所定の入力操作を行う必要が生じるので、当該プロジェクター本体２を操作可能なリモコン３を使用者に把握させることができる。
【００４５】
処理実行部２７５は、電源キー２４１によりプロジェクター本体２の電源がオンされた場合には、リモコン３から受信された前記操作信号に応じた処理を無効にするとともに、入力部２４に対する入力操作に応じた処理を実行する。これによれば、プロジェクター１の使用者ではない第三者が、登録されていないリモコン３を用いて、プロジェクター本体２が遠隔操作されることを防止できる他、識別情報が予期せず登録されてしまうことを防止できる。
【００４６】
リモコン３の登録処理は、メニューキー２４２の入力とともに、リモコン３から電源をオンする操作信号を送信することにより実行されるので、複雑な入力処理を要さずに、プロジェクター本体２を操作可能なリモコン３の登録を簡易に行うことができる。
リモコン３とプロジェクター本体２との関連付けを行う際のリモコン３での操作が電源キーの入力等であるため、識別情報が予期せず登録されてしまうことを防止できる。
【００４７】
〔実施形態の変形〕
本発明は前述の実施形態に限定されるものではなく、本発明の目的を達成できる範囲での変形、改良等は本発明に含まれるものである。
前記実施形態では、電子機器としてプロジェクターを例に挙げて説明したが、本発明はこれに限らない。例えば、電子機器は、テレビ受像機、音楽プレイヤー等、機器本体と、当該機器本体を無線で遠隔操作する操作装置とを備えた他の電子機器であってもよい。
また、前記実施形態では、外部機器４としてＰＣを用いたが、本発明はこれに限らない。例えば、外部機器４としては、ディスク型記録媒体のプレイヤーであってもよく、画像情報を送信（供給）するものであれば、他の機器でもよい。
【００４８】
前記実施形態では、操作装置としてのリモコン３は、操作信号を赤外線信号として送信する構成としたが、本発明はこれに限らない。例えば、電波等により操作信号を送信する構成としてもよい。また、識別情報も、リモコンＩＤ等に限らず、ＩＰアドレス等の固有情報であってもよい。
【００４９】
前記実施形態では、入力部２４のメニューキー２４２の入力中に、リモコン３から電源をオンする旨の操作信号が入力された場合に、当該操作信号に含まれる識別情報を登録するとしたが、本発明はこれに限らない。すなわち、メニューキー以外のキーの入力中に、当該操作信号が入力された場合に、識別情報を登録するように構成してもよい。また、複数のキーが同時に入力されている場合、及び、入力された場合に、リモコンから受信された操作信号に含まれる識別情報を登録するようにしてもよい。
【００５０】
前記実施形態では、電源キー２４１によりプロジェクター本体２の電源がオンされた場合には、リモコン３から受信された操作信号に応じた処理を無効にしたが、本発明はこれに限らない。すなわち、このような場合に、メニュー項目の中で「リモコン識別情報の登録」を選択し、「リモコンを登録します。電源キーを長押ししてください」などと表示し、リモコン３の電源キーを入力することで、リモコン３を識別情報を登録できるようにしてもよい。これによれば、プロジェクター本体２の電源を切らずにリモコン３を登録して使用することが可能になる。
【産業上の利用可能性】
【００５１】
本発明は、プロジェクター、テレビ受像機等の電子機器に利用でき、特に、近接して複数台設置される電子機器に好適に利用できる。
【符号の説明】
【００５２】
１…プロジェクター（電子機器）、２…プロジェクター本体（機器本体）、３…リモコン（操作装置）、２３…受信部、２４…入力部、２４１…電源キー、２７３…識別情報登録部、２７５…処理実行部、２７６…識別情報消去部。
【図１】
2012129682.tif 000003
【図２】
2012129682.tif 000004
【図３】
2012129682.tif 000005
【図４】
2012129682.tif 000006
【図５】
2012129682.tif 000007